(57)【要約】      （修正有）【課題】Ｔ字堤防自体の魚類生息地適合性を高める、異なる水層の魚類の生息地選好に合わせたＴ字堤防構造を提供する。【解決手段】異なる水層の魚類の生息地選好に合わせたＴ字堤防構造であって、堤体と堤防付根とを含み、堤防付根が岸に固定接続されており、堤体の一方端が堤防付根に接続されて「Ｔ」字状の構造を構成している。堤体には、水流とは反対の側においてその長手方向の水下部分に沿って少なくとも１段の水平の緩衝階段２が形成されており、緩衝階段２上に堤体の延伸方向に平行な２本の溝４が設置されて、溝４内には砂利と砂との混合物が充填されており、水生植物を栽培することができ、緩衝階段２の上方であって水面下の堤体には水生植物固定手段としての鎖と固定リング１が固設されており、異なる水層の水生植物３を固定又は栽培することができる。【選択図】図１
0003233551.tif 000002
【実用新案登録請求の範囲】
【請求項１】
堤体と堤防付根とを含み、前記堤防付根が岸に固定接続されており、前記堤体の一方端が前記堤防付根に接続されて「Ｔ」字状構造を構成する、異なる水層の魚類の生息地選好に合わせたＴ字堤防構造であって、
前記堤体には、水流とは反対の側においてその長手方向の水下部分に沿って少なくとも１段の水平の緩衝階段が形成されており、前記緩衝階段上に水生植物を栽培することができ、前記緩衝階段の上方であって水面下の前記堤体には水生植物固定手段が固設されており、前記水生植物固定手段により、異なる水層の水生植物を固定又は栽培することができる、
ことを特徴とするＴ字堤防構造。
【請求項２】
前記緩衝階段の下方の前記堤体上にブロック状突起物が固設されている、
ことを特徴とする請求項１に記載の異なる水層の魚類の生息地選好に合わせたＴ字堤防構造。
【請求項３】
前記緩衝階段の下方の前記堤体上に幾つかの穴が設けられている、
ことを特徴とする請求項１に記載の異なる水層の魚類の生息地選好に合わせたＴ字堤防構造。
【請求項４】
前記水生植物固定手段は、鎖と固定リングとを含み、前記鎖が水中に漂うことができ、かつ、前記鎖の一方端が固定リングに固定接続されており、他方端が前記堤体上に固定されている、
ことを特徴とする請求項１に記載の異なる水層の魚類の生息地選好に合わせたＴ字堤防構造。
【請求項５】
前記緩衝階段上には溝が設置されており、前記溝内に砂利及び／又は砂が充填されており、前記砂利及び／又は砂において水生植物を栽培することができる、
ことを特徴とする請求項１に記載の異なる水層の魚類の生息地選好に合わせたＴ字堤防構造。
【請求項６】
前記ブロック状突起物は石ころ及び／又は貝殻である、
ことを特徴とする請求項２に記載の異なる水層の魚類の生息地選好に合わせたＴ字堤防構造。
【請求項７】
前記緩衝階段の下方の前記堤体上にブロック状突起物が固設されている、
ことを特徴とする請求項４に記載の異なる水層の魚類の生息地選好に合わせたＴ字堤防構造。
【請求項８】
前記ブロック状突起物は石ころ及び／又は貝殻である、
ことを特徴とする請求項７に記載の異なる水層の魚類の生息地選好に合わせたＴ字堤防構造。
【考案の詳細な説明】
【技術分野】
【０００１】
本考案は、航路浚渫構造物の分野に属し、特に異なる水層の魚類の生息地選好に合わせたＴ字堤防構造に関する。
【背景技術】
【０００２】
Ｔ字堤防は、「減勢堤防」とも呼ばれ、河岸に直交又は斜交して河道に延び入る河道浚渫構造物であり、広く応用される水理構造物でもある。Ｔ字堤防は、長いもの及び短いものに分けられ、長いものは、水流の動力軸線を対岸方向に向かうよう偏向させ、減勢作用を果たし、短いものは、水流を局所的に調整して河岸を保護する作用を果たす。
【０００３】
また、Ｔ字堤防はさらにすべり勢を制御・案内し、堤岸を保護することができ、河床を狭める作用、分かれ目を閉塞する作用、及び浜や岸へ沈泥を堆積させる作用も有する。しかしながら、航路条件を改善して堤岸を保護すると同時に、Ｔ字堤防の建設は、河川の元の水文条件をある程度変化させ、一部の水生生物の元の生息に影響を与えることもある。しかしながら、従来のＴ字堤防は、建設の過程において航路浚渫の作用しか考慮しておらず、水文環境及び水生態系への影響を無視していることが多い。
【０００４】
「生態にやさしい水上運輸」が時代の背景となった今では、従来のＴ字堤防構造を改善し、航路浚渫機能の正常な発揮に影響を与えることなく水生生物の生息地適合性を高めることにより、水生態系への影響をなるべく低減することが急務となっている。
【考案の概要】
【考案が解決しようとする課題】
【０００５】
本考案は、従来のＴ字堤防建設技術の欠陥を克服し、堤体の水下部分の異なる位置に合わせたＴ字堤防構造に異なる付属物を配置し、異なる水層の魚類の生息地要求に合わせることにより、Ｔ字堤防自体の魚類生息地適合性を高める、異なる水層の魚類の生息地選好に合わせたＴ字堤防構造を提供することを目的とする。本考案は、以下の技術的解決手段を用いてその技術課題を解決する。
【課題を解決するための手段】
【０００６】
異なる水層の魚類の生息地選好に合わせたＴ字堤防構造は、堤体と堤防付根とを含み、前記堤防付根が岸に固定接続されており、前記堤体の一方端が前記堤防付根に接続されて「Ｔ」字状構造を構成し、前記堤体には、水流とは反対の側においてその長手方向の水下部分に沿って少なくとも１段の水平の緩衝階段が形成されており、前記緩衝階段上に水生植物を栽培することができ、前記緩衝階段の上方であって水面下の前記堤体には水生植物固定手段が固設されており、前記水生植物固定手段により、異なる水層の水生植物を固定又は栽培することができる。
【０００７】
さらに、前記緩衝階段の下方の前記堤体上にブロック状突起物が固設されている。
【０００８】
さらに、前記緩衝階段の下方の前記堤体上に幾つかの穴が設けられている。
【０００９】
さらに、前記水生植物固定手段は、鎖と固定リングとを含み、前記鎖が水中に漂うことができ、かつ、前記鎖の一方端が固定リングに固定接続されており、他方端が前記堤体上に固定されている。
【００１０】
さらに、前記緩衝階段上には溝が設置されており、前記溝内に砂利及び／又は砂が充填されており、前記砂利及び／又は砂において水生植物を栽培することができる。
【００１１】
さらに、前記ブロック状突起物は石ころ及び／又は貝殻である。
【００１２】
さらに、前記固定リングにおいて植物を固定及び漂わせることができる。
【００１３】
さらに、前記堤体はコンクリート石積み構造である。
【００１４】
本考案のメリット及び有益な効果は次の通りである。本考案に係るＴ字堤防構造は、堤体の水下部分の異なる位置に、それぞれ異なる水層の水生植物を固定又は栽培するための異なる付属物を配置し、さらに堤体上にブロック状突起物及び穴を設置して異なる水層の魚類の生息地要求に合わせることにより、Ｔ字堤防自体の魚類生息地適合性を高め、Ｔ字堤防の建設から相応する水流区間の水生態への影響を最大限で低減する。本考案に係るＴ字堤防構造は、従来のＴ字堤防建設における航路浚渫機能しか考慮せずに水生態への影響を無視する欠陥を克服し、Ｔ字堤防構造の、水生生物に対する生息地適合性を高めることができる。
【００１５】
本考案に係るＴ字堤防構造は、異なる魚類の生息地適合性の要求に合わせるように、異なる水層の魚類の生息地選好に基づいて、堤体の水下部分の異なる位置に相応的な付属物が配置されており、航路の建設・浚渫と生物多様性保護とを両立することができ、生態的航路建設の点で理論及び実際の意義を有する。
【００１６】
以下、図面及び実施形態を参照しながら、本考案の技術的解決手段をさらに詳しく説明するが、これらの図は考案を説明するために用意されたものであるので、本考案の請求の範囲を限定するものではないと理解すべきである。また、特に説明がない限り、これらの図は、ここに記載の構造物の構造を概略的に説明することのみを目的とし、一定の縮尺で描かれていない可能性がある。
【図面の簡単な説明】
【００１７】
【図１】本考案の実施形態が提供する、異なる水層の魚類の生息地選好に合わせたＴ字堤防構造の構造概略図であり、図２のＢ−Ｂ線における構造断面図である。
【図２】Ｔ字堤防構造の構造概略図である。
【考案を実施するための形態】
【００１８】
まず、留意すべき点は、以下に例を挙げて本考案の具体的な構造、特徴及びメリットなどを説明するが、これらの記載は全て説明のためのものに過ぎず、本考案を制限するものであると理解されるべきではない。また、本明細書に記載の各実施形態において説明又は暗示される任意の単一の技術的特徴、あるいは各図で明示又は暗示される任意の単一の技術的特徴について、これらの技術的特徴（またはそれらの均等物）同士を任意に組み合わせ又は削減することができ、これにより、本明細書に直接に記載されなかった本考案の他の実施形態を取得することができる。なお、図面を簡略化するために、同一又は類似する技術的特徴について、同一図において１箇所だけ符号をつける場合があり得る。
【００１９】
なお、矛盾がない限り、本願における実施形態及び実施形態における特徴は、互いに組み合わせてもよい。
【００２０】
以下、図１、２を参照しながら、本考案を具体的に説明する。
【００２１】
＜実施形態１＞
図１は、本考案の実施形態が提供する、異なる水層の魚類の生息地選好に合わせたＴ字堤防構造の構造概略図であり、図２のＢ−Ｂ線における構造断面図である。図２は、Ｔ字堤防構造の構造概略図である。図２に示すように、異なる水層の魚類の生息地選好に合わせたＴ字堤防構造は、堤体９と堤防付根１０とを含む。堤防付根１０は、岸Ａに固定接続されており、堤体９の一方端が堤防付根１０に接続されて「Ｔ」字状構造を構成している。
【００２２】
堤体９は、図１に示すように、水流とは反対の側においてその長手方向の水下部分に沿って少なくとも１段の水平の緩衝階段２（ステップ）が形成されており、緩衝階段２上に水生植物を栽培することができる。具体的に、緩衝階段２上に溝４が設置され、溝４内に砂利及び／又は砂が充填されており、その砂利及び／又は砂において沈水性及び抽水性の水生植物３を栽培することができる。
【００２３】
本実施形態において、図１に示すように、緩衝階段２上に堤体の延伸方向に平行な２本の溝４が設置されている。溝４内には砂利と砂との混合物が充填されており、混合物において沈水性及び抽水性の水生植物３が栽培されている。溝４内の砂利と砂との混合物は、水生植物の付着及び成長のためのマトリックス（基盤、基質）を提供することができ、砂の中で棲みか作り行為をする一部の魚類のために産卵場所を提供することもできる。水生植物は、付着卵を産卵する魚類の卵の付着及び孵化のために便利さを提供することができ、孵化後の仔魚・稚魚のために安全かつ優れた成長環境を提供することもできる。
【００２４】
また、緩衝階段２の上方であって水面下の堤体には水生植物固定手段が固設されており、その水生植物固定手段は異なる水層の水生植物を固定又は栽培することができる。具体的に、水生植物固定手段は、鎖（不図示）と固定リング１とを含み、鎖が水中に漂うことができ、かつ、鎖の一方端が固定リングに固定接続されており、他方端が堤体に固定されている。固定リングにおいてマツモ７等の浮遊植物が固定され、これにより、水面を遮る植物環境を作り、水生植物固定手段は、浮葉型水生植物を固定して、一定の領域内で成長させることで、浮葉型水生植物が水流により押し流されて河道を塞ぐのを防止することができる。水面を遮る植物環境は、一部の表層及び上層にある魚類の餌探し及び回避等の行為のために適切な環境を提供することができ、水生植物の葉はさらに付着卵を産卵する魚類の卵の付着及び孵化に有利である。
【００２５】
また、本実施形態において、さらに、緩衝階段２の下方の堤体にブロック状突起物を固設してもよく、そのブロック状突起物は石ころ６及び／又は貝殻５であってもよい。また、緩衝階段２の下方の堤体には幾つかの穴８が設けられており、凸凹な表面構造を構成し、一部の底生魚類の餌探しや回避、及び一部の待ち伏せ型魚類の待ち伏せ行為のためのシェルターを提供する。
【００２６】
なお、堤体の建設及び安定性向上のために、堤体をコンクリート石積み構造としてもよい。
【００２７】
以上の実施形態により、本考案を詳しく説明しているが、上記内容は本考案の好適な実施形態に過ぎず、本考案の実施範囲を限定するものではない。本考案の請求の範囲内でなされた均等な変化及び改良は、いずれも本考案の請求の範囲内に包含される。
【符号の説明】
【００２８】
１  固定リング、２  緩衝階段、３  沈水性及び抽水性の水生植物、４  溝、５  貝殻、６  石ころ、７  マツモ、８  穴、９  堤体、１０  堤防付根。
【図１】
0003233551.tif 000003
【図２】
0003233551.tif 000004